(57)【要約】      （修正有）【課題】切手に触れることなく湿潤できるスプレー式切手湿潤器を提供する。【解決手段】切手ホルダー支柱板５、切手ホルダー１３、スプレー容器固定アーム２、水滴収集トレー固定レール７、スプレー容器挿入溝穴３、スプレー容器固定凸部１０からなる設置台４を作製し、スプレー容器１の底部に凹部９を設け、水滴収集トレー裏面の両脇にレール受けを設け、スプレー容器１と水滴収集トレーを設置台４に設置してなる。【選択図】図１
0003216813.tif 000002
【実用新案登録請求の範囲】
【請求項１】
切手ホルダー支柱、切手ホルダー、スプレー容器固定アーム、水滴収集トレー固定レール、スプレー容器挿入溝穴、スプレー容器固定凸部からなる設置台を作製し、スプレー容器の底部には凹部を設け、水滴収集トレー裏面の両脇にレール受けを設け、スプレー容器と水滴収集トレーを設置台に設置してなるスプレー式湿潤器。
【考案の詳細な説明】
【技術分野】
【０００１】  本考案は、切手の接着面を濡らすときに使用する従来のスポンジを使った湿潤器に代わるスプレー式切手湿潤器に関するものである。
【背景技術】
【０００２】  特許文献１、特許文献２は共に、スポンジを収納する容器の蓋を外したまま使用するために生じる、スポンジ内の水の蒸発を防止するためになされた発明である。
本考案のような、切手の接着面に霧を吹きかけることにより切手を湿潤する湿潤器はまだ発明されていない。
【先行技術文献】
【特許文献】
【０００３】
【特許文献１】実願２００１−１７０１
【特許文献２】特願２００２−３８２６５９
【考案の概要】
【考案が解決しようとする課題】
【０００４】（イ）文献１は蓋がプラスチックの代わりに複数の切り目がある弾性素材の薄膜でできているので、蓋を閉めた状態で使用できることを特徴としている。切手を湿潤するときは、蓋に切手を強く押し込んで切れ目の隙間から水を噴き出たせる必要があり、切手が破損する危険性がある。
（ロ）文献２は水容器から最上部の水付けユニットまで３〜４の層構造でできている。最下部の水容器から水が吸い上げられて、水付けユニットまで到達するまでかなりの時間を要するため水容器に水を新たに補給した後は、直ぐに使用できない不便さがある。
本考案は、以上のような欠点を無くすためになされたものである。
【課題を解決するための手段】
【０００５】（イ）スプレー容器設置台の中ほどにスプレー容器を挿入し固定するための円形溝穴とその溝穴の中心方向に凸部を設ける。
（ロ）切手ホルダーの支柱板の中ほどの高さにスプレーを掴み、固定するためのアームを設置する。
（ハ）スプレーの噴出口から出たミストが落下して生じる水滴を収集するためにスプレー設置台の切手ホルダーの支柱板を取り囲むような形状のトレーを設置する。
（二）スプレーの噴出口から出たミストが抜けるように切手ホルダー内には多数の通気穴を作る。
（ホ）切手ホルダーの高さは約３ｃｍ、幅は約７ｃｍとし、切手二枚を一挙に噴霧し湿潤できるようなサイズにした。
本考案は以上の構成よりなるスプレー式切手湿潤器である。
【考案の効果】
【０００６】（イ）水を含んだスポンジに切手を押し当てて湿潤する従来の方法と違い、切手に触れることなく湿潤できるので切手にダメージを与えることが皆無になった。また、切手の表と指が水で濡れることもなくなった。
（ロ）水はスプレー容器の中に保存されているので蒸発の心配がまったくなく、水を補給する回数をかなり減少させることができた。
（ハ）スプレー容器は透明プラスチックでできているので、水の残量を簡単に把握でき、水を補給するタイミングが簡単に分かるようになった。
【図面の簡単な説明】
【０００７】
【図１】スプレー容器とスプレー容器設置台の斜視図である。
【図２】（ｋ）水滴収集トレーおもて面の斜視図である。（ｗ）水滴収集トレーうら面の斜視図である。
【図３】スプレー式湿潤器全体の側面図である。
【図４】スプレー式湿潤器全体を真後ろから見た図である。
【図５】（ｋ）スプレー容器の底部に設けた凹部の拡大斜視図である。（ｗ）スプレー容器を固定するための凸部の拡大斜視図である。
【図６】スプレー容器上部と切手ホルダーの側面拡大図であり、スプレーから霧を切手ホルダーに向かって噴霧した時の実施図である。
【図７】水滴収集トレーだけを設置し、スプレー容器を設置しない場合のスプレー容器設置台の斜視図である。
【考案を実施するための形態】
【０００８】  以下、本考案の実施の形態を説明する。
（イ）切手ホルダー支柱板（５）、切手ホルダー（１３）、スプレー容器固定アーム（２）、水滴収集トレー固定レール（７）、スプレー容器設置溝穴（３）、スプレー容器固定溝穴（３）の凸部（１０）からなる設置台（４）を作製する。
（ロ）スプレー容器（１）の底部に凹部（９）を設ける。
（ハ）水滴収集トレー（６）の裏面の両脇にレール受け（８）を設ける。
本考案は以上のような構造である。
本考案を使用するときは、スプレー容器（１）の７０％ほどまで水を補給する。スプレー容器底部の凹部（９）と円形溝穴（３）の凸部（１０）を合わせながらスプレー容器（１）を挿入、設置する。
スプレー容器設置台（４）にレール（７）とレール受け（８）を合わせながら水滴収集トレー（６）を設置する。
切手（１１）の接着面をスプレー容器（１）に向けた状態で切手ホルダー（１３）に挿入しスプレー容器（１）から噴霧（１２）して湿潤する。
【符号の説明】
【０００９】１  スプレー、２  スプレー容器固定アーム、３  スプレー容器設置溝穴、
４  スプレー容器設置台、５  切手ホルダー支柱、６  水滴収集トレー、
７  水滴収集トレー固定レール、８  水滴収集トレー固定レール受け、
９  スプレー容器底部の凹部、１０  溝穴の凸部、１１  切手、１２  霧、
１３  切手ホルダー、１４  切手ホルダー内の小穴
【図１】
0003216813.tif 000003
【図２】
0003216813.tif 000004
【図３】
0003216813.tif 000005
【図４】
0003216813.tif 000006
【図５】
0003216813.tif 000007
【図６】
0003216813.tif 000008
【図７】
0003216813.tif 000009
【手続補正書】
【提出日】平成30年4月9日(2018.4.9)
【手続補正１】
【補正対象書類名】実用新案登録請求の範囲
【補正対象項目名】全文
【補正方法】変更
【補正の内容】
【実用新案登録請求の範囲】
【請求項１】
大きくは、スプレーと矩形板状の容器設置台から成り、スプレー容器設置台を平置きした状態において、板面の一方の短手寄りの中央部に切手ホルダー支柱が立設されて、その上端に切手ホルダーを設けてあり、切手ホルダーは薄板幅広略Ｕ字状で、Ｕ字溝状空間が短手と平行になって、ここが切手を立て置くスペースになっており、Ｕ字溝状空間を挟む両サイド面には、スプレーから吹き出す霧水が通るための多数の小穴則ち切手ホルダー内小穴が設けてあり、切手ホルダー支柱上下中間部から、先端の半リング部位でスプレー胴体を保持するスプレー容器固定アームが、短手の他方側へ長手と平行に伸びており、切手ホルダー支柱の根元板面の長手際両サイドには、長手辺と平行に数センチ長さの凸状水滴収集トレー固定レールが設けてあり、切手ホルダー支柱の根元から他方の短手側へ少し寄った板面中央部位には、スプレーの根元を据え置くためのスプレー容器設置溝穴が設けてあり、スプレー容器溝穴には、切手ホルダー支柱側から溝穴中心に向かって突き出た凸状の溝穴の凸部が設けてあるのだが、スプレー容器においては、根元の一箇所に、底面から上方へ切欠かれて、はば・高さ・奥行が溝穴の凸部に嵌合する形で、スプレー容器の凹部が設けてある、ということを特徴とするスプレー式切手湿潤器。